(57)【要約】  【課題】  加工がし易く、材料コストが安い接点を有する電気部品の防爆ケースを使用した冷蔵庫を提供すること。  【解決手段】  上ケース１８及び下ケース１７とから成る収納ケース内にサーモスタット２０を収納し、可燃性冷媒が漏れて、わずか該収納ケース内に入って、サーモスタット２０の接点が閉じて着火しても、上ケース１８の開口３７を塞ぐ蓋体３８に形成したスリット３９から収納ケース外に圧力が逃げても火が出ない。調節操作レバー１９の嵌合部４１の嵌合凹部４０を形成する周壁の弧中央部に円板部４３まで延在するスリット４５を切除しているので、サーモスタット２０の接点が閉じて着火しても、スリット４５から円板部４３と下ケース１７の側面とのわずかな隙間を介して収納ケース外に圧力が逃げても火が出ない。  【選択図】  図３
2006090609.tif 000002
【特許請求の範囲】
【請求項１】
可燃性冷媒を用いた冷却貯蔵庫において、接点を有する電気部品をスリットが形成された収納ケースに収納したことを特徴とする冷却貯蔵庫。
【請求項２】
可燃性冷媒を用いた冷却貯蔵庫において、冷凍サイクルユニットを構成する圧縮機のオン・オフを制御するサーモスタットをスリットが形成された収納ケースに収納したことを特徴とする冷却貯蔵庫。
【請求項３】
可燃性冷媒を用いた冷却貯蔵庫において、冷凍サイクルユニットを構成する圧縮機のオン・オフを制御するサーモスタットをスリットが形成された上ケース及び下ケースとで形成される収納ケースに収納したことを特徴とする冷却貯蔵庫。
【請求項４】
前記上ケースに開口を形成し、この開口を塞ぐ蓋体に前記スリットを形成したことを特徴とする請求項１乃至請求項３のいずれかに記載の冷却貯蔵庫。
【請求項５】
可燃性冷媒を用いた冷却貯蔵庫において、冷凍サイクルユニットを構成する圧縮機のオン・オフを制御するサーモスタットを収納ケースに収納すると共に前記サーモスタットの検知温度調節用の摘みが嵌合する調節操作レバーの嵌合部の嵌合凹部を形成する周壁にスリットを形成したことを特徴とする冷却貯蔵庫。
【発明の詳細な説明】
【技術分野】
【０００１】
本発明は、可燃性冷媒を用いた冷却貯蔵庫に関するものである。
【背景技術】
【０００２】
このような冷却貯蔵庫は、例えば特許文献１などに開示されており、圧縮機保護回路を構成する電気部品又は接点領域を密封したケースや、防爆網で形成されたケースに収納し、オン・オフ時に万一可燃性冷媒が漏れても、爆発などにつながることがないよう安全性を確保している。
【特許文献１】特許第３３８６６１５号公報
【発明の開示】
【発明が解決しようとする課題】
【０００３】
しかし、完全に密封したケースの作製は困難であり、またメッシュやパンチングメタルで収納ケースを構成すると、材料コストが高いばかりか、穴を介してホコリ等が直接ケース内に入り込み易い。また、操作摘みなどの棒状のものを取り付ける場合には、加工ができない等という問題があった。
【０００４】
そこで本発明は、前述せる問題点に鑑み、加工がし易く、材料コストが安い接点を有する電気部品の防爆ケースを使用した冷蔵庫を提供することを目的とする。
【課題を解決するための手段】
【０００５】
このため第１の発明は、可燃性冷媒を用いた冷却貯蔵庫において、接点を有する電気部品をスリットが形成された収納ケースに収納したことを特徴とする。
【０００６】
第２の発明は、可燃性冷媒を用いた冷却貯蔵庫において、冷凍サイクルユニットを構成する圧縮機のオン・オフを制御するサーモスタットをスリットが形成された収納ケースに収納したことを特徴とする。
【０００７】
第３の発明は、可燃性冷媒を用いた冷却貯蔵庫において、冷凍サイクルユニットを構成する圧縮機のオン・オフを制御するサーモスタットをスリットが形成された上ケース及び下ケースとで形成される収納ケースに収納したことを特徴とする。
【０００８】
第４の発明は、第１乃至第３の発明において、前記上ケースに開口を形成し、この開口を塞ぐ蓋体に前記スリットを形成したことを特徴とする。
【０００９】
第５の発明は、可燃性冷媒を用いた冷却貯蔵庫において、冷凍サイクルユニットを構成する圧縮機のオン・オフを制御するサーモスタットを収納ケースに収納すると共に前記サーモスタットの検知温度調節用の摘みが嵌合する調節操作レバーの嵌合部の嵌合凹部を形成する周壁にスリットを形成したことを特徴とする。
【発明の効果】
【００１０】
本発明によれば、加工がし易く、材料コストが安い接点を有する電気部品の防爆ケースを使用した冷蔵庫を提供することができる。
【発明を実施するための最良の形態】
【００１１】
以下、本発明を実施するための最良の形態について、図面を参照しながら説明する。先ず、冷却貯蔵庫である冷凍冷蔵庫の扉体を外した状態の斜視図である図１及び同じく正面図である図２において、１はそれぞれ前面扉（図示せず）が設けられた上下の食品保存室から成る冷凍冷蔵庫本体で、鋼板製の外箱２、合成樹脂製の内箱３及び両箱間に現場発泡方式により充填された発泡ウレタン断熱材（図示せず）により構成されている。この冷凍冷蔵庫本体１の内部は断熱作用のある仕切壁５により仕切られ、上部に冷凍室６を配置し、冷凍室６の下に冷蔵室７を配置している。そして、前記冷凍室６及び冷蔵室７の前面開口は、開閉可能な回動式の断熱性能を有する各扉体により閉塞可能である。
【００１２】
前記冷蔵室７を形成する内箱３の両側壁には内方に所定間隔を存して支持部８が突設され、この支持部８上に複数の棚９が引出し可能に配設される。また、冷凍冷蔵庫本体１の後下部には、機械室が形成されて可燃性冷媒、例えばＨＣ冷媒を使用する冷凍サイクルユニットを構成する圧縮機（図示せず）が配設されるが、この機械室の前方における冷蔵室７下部には上面開口部を開閉可能な開閉扉１０が設けられた野菜収納容器１１が、冷蔵室７を形成する底面７Ａ上を前記内箱３の両側面に形成されたガイド１２により案内されて摺動して出し入れ可能に配設される。
【００１３】
また、冷凍室６の後部には、ダクト壁１４にて区画された冷気循環ダクト（図示せず）が設けられ、この冷気循環ダクトには送風機と冷凍サイクルユニットを構成する冷却器とが上下に設けられている。そして、前記ダクト壁１４に開設した吸込口から流入した冷凍室６内の空気は前記冷却器にて冷却され、前記送風機により吹出口を介して冷凍室６内に循環供給される。また、冷凍室６内の冷気は前記仕切壁５に設けられた冷気循環ダクトを介して冷蔵室７内にも分配供給され、冷却に供する。
【００１４】
１５は前記仕切壁５の右下面に固定される温度検知装置で、冷蔵室７の室内温度が第１の所定温度以下になったことを検知すると前記圧縮機をオフ（停止）し、逆に第２の所定温度以上になったことを検知すると前記圧縮機をオン（運転）するもので、以下図３乃至図８に基づき説明する。
【００１５】
前記温度検知装置１５は、大きく分けて温度検知用の検知部１６と、これを内部に収納する下ケース１７及び上ケース１８（両ケースで収納ケースを構成）と、調節操作レバー１９とから構成される。先ず、前記検知部１６は、サーモスタット２０と、検知レベルを変更するためのもので端部を切除されて断面が半円状に形成された検知温度調節用の摘み２１と、サーモスタット２０と一体となってこのサーモスタット２０を前記下ケース１７に固定するためのビス孔２２を有する取付片２３とを備えている。
【００１６】
また、前記下ケース１７は合成樹脂材料で作成され上面を開口した箱状を呈し、その開口周縁端部は前記上ケース１８が外方から嵌合するための薄肉の連結部２４が形成されている。そして、前記検知部１６が載置される載置部２５及び前記ビス孔２２と合致する取付開口２６が形成された取付部２７とが内面上に立設され、上面開口における一対の対向する隅部の外周縁部に取付穴２８が開設された固定片２９を形成すると共に対向する側面にそれぞれ固定部３０を形成し、更に一方の大きな側面の上端部には前記調節操作レバー１９を支持する半円状の支持開口３１を開設する。
【００１７】
更に、前記上ケース１８は合成樹脂材料で作成され下面を開口した箱状を呈し、その開口周縁端部は前記下ケース１７の連結部２４に外方から嵌合するための薄肉の連結部（図示せず）が形成されている。また、前記固定部３０に嵌合する嵌合部３２が対向する側面にそれぞれ形成されると共に、下面開口における一対の対向する隅部の外周縁部に取付穴３３が開設された固定片３４を形成し、更に一方の大きな側面の上端部には前記調節操作レバー１９を支持する半円状の支持開口３５を開設する。
【００１８】
なお、上ケース１８の上面中央部には平面視概ねＴ字状の開口３７が形成される。そして、図４及び図５に示すような鋼板製の蓋体３８が前記開口３７に上方から嵌合して、この開口３７を塞ぐように蓋体３８が固定される。この蓋体３８はプレス加工により一部を切り起こすようにして、例えば５条の幅０．６ミリメートル以上３ミリメートル以下のスリット３９がプレス加工により形成される。この場合、幅が狭いスリットを作製する場合に、プレス加工は好適であり、一部を切り起こすようにして形成しているから、打ち抜くことにより形成する場合に比して、ホコリなどが収納ケース内に入りにくい。
【００１９】
次に、図６及び図７に基づき、調節操作レバー１９について説明すると、この調節操作レバー１９は前記摘み２１が嵌合する断面が半円状に形成された嵌合凹部４０が形成された嵌合部４１と、裏面がこの嵌合部４１の形成基部となると共に前面に操作摘み４２が形成された円板部４３と、前記嵌合部４１が下ケース１７の支持開口３１及び上ケース１８の支持開口３５に嵌合している状態で前記円板部４３とで上ケース１８及び下ケース１７を挟持する挟持部４４とから構成される。
【００２０】
なお、前記嵌合部４１は前記形成基部から先端部に向かうに従って細外径となるように形成されると共に、前記嵌合凹部４０を形成する周壁の弧中央部には円板部４３まで延在する例えば幅０．６ミリメートル以上３ミリメートル以下のスリット４５が切除されている。
【００２１】
前記スリット３９、４５の幅は大きすぎると、ホコリが収納ケース内に入り易く、また漏れた可燃性冷媒が着火した場合に収納ケース外に広がり易い。逆に、小さすぎると着火の際の圧力が収納ケース外に逃げないので、前述せる幅に形成したものである。
【００２２】
次に、温度検知装置１５の組立てについて説明すると、先ず検知部１６の摘み２１と前記調節操作レバー１９の嵌合凹部４０とを嵌合させ、この検知部１６を下ケース１７の載置部２５に載置すると共に調節操作レバー１９を支持開口３１縁部に支持した状態で、前記円板部４３と挟持部４４とで下ケース１７を挟持させ、ビス孔２２と取付開口２６とを合致させてビス（図示せず）をネジ込み、下ケース１７に前記検知部１６を固定する。
【００２３】
次いで、回路基板（図示せず）に接続されているサーモスタット２０の出力線を切欠４６を介して下ケース１７外に出した状態で、前記調節操作レバー１９を支持開口３５に嵌合させると共に前記円板部４３と挟持部４４とで上ケース１８を挟持させ、固定部３０に嵌合部３２を嵌合させるようにして、前記上ケース１８の開口周縁端部の連結部を前記下ケース１７の連結部２４に外方から嵌合させることにより下ケース１７に上ケースを固定する。
【００２４】
そして、このように組立てられた温度検知装置１５を前記仕切壁５の右下面に固定する。即ち、下ケース１７に上ケース１８を固定しているので、既に固定片２９の取付穴２８と固定片３４の取付穴３３とを合致しているので、両取付穴２８、３３を介してビス（図示せず）により温度検知装置１５を前記仕切壁５に固定する。この場合、上ケース１８の上面と前記仕切壁５の下面との間には、所定の隙間を存して固定される。
【００２５】
このように構成したことにより、上ケース１８及び下ケース１７とで火花発生源となるサーモスタット２０を収納しても上ケース１８に設けられた蓋体３８のスリット３９により、可燃性冷媒が漏れても、爆発する虞はなく安全が確保される。即ち、可燃性冷媒が漏れて、わずか収納ケース内に入って、サーモスタット２０の接点が閉じて着火しても、前記スリット３９から収納ケース外に圧力が逃げても火が出ないので、火が広がらず、安全が確保される。また、鋼板製の前記蓋体３８に設けたスリット３９はプレス加工により形成したから、低コストで作製できて、強度も強く、経年変化にも強い。
【００２６】
更には、調節操作レバー１９の嵌合部４１の嵌合凹部４０を形成する周壁の弧中央部に円板部４３まで延在するスリット４５を切除しているので、更に安全が確保されている。即ち、可燃性冷媒が漏れて、わずか収納ケース内に入って、サーモスタット２０の接点が閉じて着火しても、前記スリット４５から円板部４３と下ケース１７の側面とのわずかな隙間を介して収納ケース外に圧力が逃げても火が出ないので、火が広がらず、安全が確保される。
【００２７】
なお、本実施形態ではサーモスタット２０を収納ケースに収納する例を挙げたが、これに限らず、接点を有する電気部品、例えばリレーやスイッチなどにも同様に適用できる。
【００２８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２９】
【図１】冷凍冷蔵庫の扉体を外した状態の斜視図である。
【図２】冷凍冷蔵庫の扉体を外した状態の正面図
【図３】温度検知装置の分解斜視図である。
【図４】蓋体の平面図である。
【図５】図４のＡ−Ａ断面図である。
【図６】調節操作レバーの斜視図である。
【図７】調節操作レバーの背面図である。
【符号の説明】
【００３０】
１７              下ケース
１８              上ケース
１９              調節操作レバー
２０              サーモスタット
３７              開口
３８              蓋体
３９              スリット
４０              嵌合凹部
４１              嵌合部
４３              円板部
４５              スリット
【図１】
2006090609.tif 000003
【図２】
2006090609.tif 000004
【図３】
2006090609.tif 000005
【図４】
2006090609.tif 000006
【図５】
2006090609.tif 000007
【図６】
2006090609.tif 000008
【図７】
2006090609.tif 000009